(57)【要約】【課題】床から際根太等を通じて形成される伝搬経路を無くすることで、床に発生する衝撃音の伝搬を確実に遮断する壁床の遮音構造を提供する。【解決手段】本発明による壁床の遮音構造は、壁下地１５と壁下地に固着される際根太１４及び際根太１４上に配置される床下地１０から構成される壁床の遮音構造において、壁下地１５と際根太１４との間に側部遮音材４を配置し、壁下地１５と床下地１０及び際根太１４と壁仕上げ材１６との間に上部遮音材８を配置し、側部遮音材４と上部遮音材８とを一体に構成してＬ字型に形成することで、床に発生する衝撃音等の生活音が伝搬しないように確実な遮断を図っている。【選択図】  図１
2004324205.tif 000002
【特許請求の範囲】
【請求項１】
壁下地と壁下地の周囲に配置される際根太及び際根太上に配置される床下地から構成される壁床の防振・防音構造であって、壁下地と際根太との間に側部緩衝材を配置し、壁下地と床下地及び床下地と壁仕上げ材との間に上部緩衝材を配置することを特徴とする壁床の防振・防音構造。
【請求項２】
側部緩衝材と上部緩衝材とが、一体に構成されてＬ字型に形成されることを特徴とする請求項１に記載の壁床の防振・防音構造。
【発明の詳細な説明】
【０００１】
【発明の属する技術分野】
本発明は壁床の防振・防音構造に関し、特に、床に発生する床衝撃音の伝搬を確実に遮断する壁床の防振・防音構造に関する。
【０００２】
【従来の技術】
集合住宅においては、隣接する住戸において発生する水廻りの使用音、居室での椅子の移動音、さらには、物の落下による衝撃音等の生活状況が意識されるような壁床を通しての音の伝搬が問題になり、これらの音を遮断することが大きな課題になってきた。特に、近年になってコンクリート系建物の長寿命化を図るために、可変性・改修性に耐えられる躯体のスケルトンと模様替え・ニーズによる更新や耐用年数・機能向上のための維持保全が可能なインフィルとに分離して対応するフリーアクセス指向が強まるに連れて、水廻りも含める居室の変更、移動等が任意に行われる傾向にあり、隣接住戸との間における音伝搬の遮断が益々大きな問題になってきている。
【０００３】
このために、伝達される固体伝播音の低減や室間に高い防振・防音性能を確保するように防振材を介在させて居室を建物躯体から支持する浮き構造の採用が多くなっており、例えば、躯体床上に防振材を設置しその上端面に床版型枠を載置した後に、コンクリートを打設して床スラブを構成すると共に、型枠の端部と躯体壁部との間に緩衝材を挿入することで、床版に発生する音が隣接住戸に伝達されないように固体伝播音の低減を図っている。（例えば、特許文献１を参照）
【０００４】
又、根太の上に床用下地材を配置する例では、床用下地材を根太に固定するために打ち付ける釘を通じて床用下地材からの衝撃音が、根太と土台を通じて壁面に伝搬されるのを防止するために、床用下地材の下に防振用ゴムシートと釘の打ち代に相当する厚さの裏板とを配置して、床用下地材からの衝撃音が釘を通じて根太に伝搬しないようにすると共に、床用下地材と壁面との間にも防振用ゴムシートを介在させて伝播音を低減している。（例えば、特許文献２を参照）
【０００５】
さらに、床衝撃音を低減させるためにゴム脚付きの際根太で床下地を支持している例もあるが、図３のように床下地１０の上に貼設されるフローリング材１１が無垢板等の場合には、反りによる浮き上がりが発生する問題等から際根太をゴム脚付き際根太又はゴム付支持脚１２で対応するには困難があり、釘留め１３する際根太１４で壁下地１５に強固に接着させる必要があることから、図示のように床下地１０から壁仕上げ材１６を経由する伝搬経路１７、床下地１０から壁下地１５に直接伝搬する伝搬経路１８及び際根太１４を経由して伝搬される伝搬経路１９が形成されている。
【０００６】
又、これを改善するために図４に示すように釘留め１３する際根太１４と壁下地１５との間にゴム等の緩衝材２０を挟んで施工することも提案されているが、伝搬経路１９が遮断されるのみで位置決めが困難である壁仕上げ材１６が床下地１０と取り合うことによって、これを経由する伝搬経路１７と壁下地１５への伝搬経路１８とが残存していることから、軽量床衝撃音のレベルを５５ｄＢＡ以下には低減できないのが実態であった。
【０００７】
【特許文献１】
特開平８−３１９７１１号公報（段落番号「００１２」〜「００１８」の欄、図６）
【特許文献２】
特公昭６１−５８６２７号公報（第２頁、第３欄、第２３行〜第３４行、図２）
【０００８】
【発明が解決しようとする課題】
本発明は、上記の実態に鑑みて衝撃音の伝搬状態を改善するために提案するものであり、床から際根太等を通じて形成される伝搬経路を無くすることで床に発生する衝撃音の伝搬を確実に遮断する壁床の防振・防音構造の提供を目的にしている。
【０００９】
【課題を解決するための手段】
本発明による壁床の防振・防音構造は、壁下地と壁下地に固着される際根太及びゴム付支持脚上に配置される床下地から構成される壁床の防振・防音構造において、壁下地と際根太との間に側部緩衝材を配置し、壁下地と床下地及び際根太と壁仕上げ材との間に上部緩衝材を配置することを基本にし、側部緩衝材と上部緩衝材とを一体に構成してＬ字型に形成することを特徴としており、床に発生する衝撃音等の生活音が伝搬しないように確実な遮断を図っている。
【００１０】
【発明の実施の形態】
本発明による壁床の防振・防音構造の実施形態では、建造物の躯体構造を構成しているコンクリートスラブ上に浮構造を形成してなる乾式浮床端部と壁体との取り合いにおける壁下地と壁下地の周囲に配置される際根太及び際根太上に配置される床下地から構成される壁床の防振・防音構造において、壁下地と際根太、壁下地と床下地及び際根太と壁仕上げ材との間に、壁下地と際根太用の側部緩衝材と壁下地と床下地及び壁下地と壁仕上げ材用の上部緩衝材とを一体に形成しているＬ字型緩衝材として配置しており、これによって、床に発生する床衝撃音等の生活音が伝搬しないように確実な遮断を図っている。
以下に、本発明の実施の形態を図面に基づいて詳細に説明するが、理解を容易にするために従来と同様の部位については、同一の符号によって表示している。
【００１１】
図１は、本発明による壁床の防振・防音構造の実施形態を概要的に示す断面図である。本実施の形態における際根太１４は、その間にＬ字型緩衝材１を介在させた状態で壁下地１５に強固に釘留め１３されている。そして、床下地１０の上にフローリング材１１を貼設することで形成された床２は、釘留め１３されている際根太１４とゴム付き支持脚１２とによって堅固に支持されると同時に、床下地１０の上に貼設されているフローリング材１１と壁仕上げ材１６との接合部分は、所定の間隙を確保しながら巾木９によって封鎖されている。
【００１２】
従って、床構造は、床下地１０の上に貼設されているフローリング材１１が例え無垢板等の場合であっても、ゴム付き支持脚１２と際根太１４とによって反りによる浮き上がりが発生しないように堅固に支持されることになる。
【００１３】
しかるに、Ｌ字型緩衝材１は、壁下地１５と際根太１４との間に厚さ３を生かして配置される側部緩衝材４の部分と、壁下地１５と床下地１０の端部５との所定幅６を生かして配置すると共に床下地１０と壁仕上げ材１６との間にその厚さ７を生かして配置される上部緩衝材８の部分とが一体に形成されるＬ字状に構成されており、床２に発生する床衝撃音等は、床下地１０の端部５から壁仕上げ材１６を通して壁下地１５に伝搬されていた伝搬経路１７において、Ｌ字型緩衝材１の上部緩衝材８の部分によって遮断されている。
【００１４】
又、床下地１０から壁下地１５に直接伝搬されていた伝搬経路１８において、Ｌ字型緩衝材１の上部緩衝材８の厚さ部分によって確実に遮断されている。さらに、床下地１０から際根太１４を経由して伝搬される伝搬経路１９においてもＬ字型緩衝材１の側部緩衝材４によって幅広く遮断されており、際根太１４が釘留め１３されているとしても充分に低減されるので、軽量床衝撃音のレベルを５０ｄＢＡ以下に減衰させて要望に回答を出している。
【００１５】
さらに、床部と壁体との取り合い部の施工においても、Ｌ字型緩衝材１が所定幅６、所定幅７を所定値に設定しながら配置するので、床下地１０及びフローリング材１１等の床部材と壁仕上げ材１６とが直接接触することはなく、壁仕上げ材１６及び床下地１０の位置決めを容易に行うことができる。
【００１６】
図２は、本発明による壁床の防振・防音構造を適用している居室の実施形態であり、図２（ａ）の平面図が示すように、躯体２１もしくは間仕切壁等の壁下地１５にＬ字型緩衝材１を所定の間隔で配置しながら強固に接合されている際根太１４の上に、居室２２を構成している床の端部は、堅固に設置されている。
【００１７】
従って、居室２２の床２は、図２（ａ）の平面図を（ｂ）−（ｂ）矢視している断面図（ｂ）が示すように、中央部分を所定の位置に均等に配置されているゴム付き支持脚１２によって堅固に支持されていると共に、その端部は、所定の間隔で配置しているＬ字型緩衝材１を介在させて強固に接合されている際根太１４によって支持されていることから、Ｌ字型緩衝材１によって居室２２の床衝撃音等を幅広く遮断されることになる。
【００１８】
本発明による壁床の防振・防音構造は、以上の実施形態のように構成されているので、建物の各居室は、容易に浮き床形態を形成できることで、床に発生する床衝撃音等の生活音が伝搬しないように確実な遮断を図って隣接住戸との音伝搬の問題を解決して居室位置の変更や水廻りも含める移動等を容易にしており、躯体のスケルトンと設備等のインフィルとに分離するフリーアクセス的傾向にも充分に対応できる機能を発揮している。
【００１９】
以上、本発明を実施の形態に基づいて詳細に説明してきたが、本発明による壁床の防振・防音構造は、上記実施の形態に何ら限定されるものでなく、Ｌ字型緩衝材の具体的な材質や種類及びその配置状態等に関して、本発明の趣旨を逸脱しない範囲において、出願時において既に公知のものを適用することによる種々の変更が可能であることは、当然のことである。
【００２０】
【発明の効果】
本発明による壁床の防振・防音構造は、壁下地と壁下地の周囲に配置される際根太及び際根太上に配置される床下地から構成される壁床の防振・防音構造において、壁下地と際根太との間に側部緩衝材を配置し、壁下地と床下地及び床下地と壁仕上げ材との間に上部緩衝材を配置することを基本にして、側部緩衝材と上部緩衝材とを一体に構成してＬ字型に形成することを特徴としているので、床から際根太等を通じて形成される伝搬経路を無くすることで床に発生する床衝撃音等の生活音が伝搬しないように確実に遮断されると同時に、床部と壁体との取り合い部の施工面においても、Ｌ字型緩衝材が所定幅に設定された状態で配置されるので、壁仕上げ材及び床下地の位置決めが容易に行えて施工効率を向上できる効果を発揮している。
【図面の簡単な説明】
【図１】本発明による壁床の防振・防音構造の実施形態を概要的に示す断面図
【図２】本発明による壁床の防振・防音構造を適用される居室の実施形態図
【図３】従来の壁床の防振・防音構造を概要的に示す断面図
【図４】従来の他の防振・防音構造を概要的に示す断面図
【符号の説明】
１  Ｌ字型緩衝材、  ２  床、  ３  厚さ、  ４  側部緩衝材、  ５  端部、
６  幅、  ７  厚さ、  ８  上部緩衝材、  ９  巾木、  １０  床下地、
１１  フローリング材、  １２  ゴム付き支持脚、  １３  釘留め、
１４  際根太、  １５  壁下地、  １６  壁仕上げ材、
１７〜１９  伝搬経路、  ２０  緩衝材、  ２１  躯体、  ２２  居室、
【図１】
2004324205.tif 000003
【図２】
2004324205.tif 000004
【図３】
2004324205.tif 000005
【図４】
2004324205.tif 000006